(57)【要約】      （修正有）【課題】ネックレス類を首に掛けた状態のままで、美感を損なうことなく簡単に着脱することができるペンダントトップを提供する。【解決手段】ネックレス類に着脱及び保持可能に吊着される吊着手段が裏面２に設けられ、吊着手段は、ネックレス類に掛かって吊り下がる一対の湾曲部４と、湾曲部４を介して吊り下げ方向に二股状に形成された一対の脚部５ａ，５ｂと、該一対の脚部の夫々において、一方が、ペンダントトップ１の裏面２に固設されており、他方が、延長されて延長部６が形成されており、延長部６の夫々が、ペンダントトップ１の裏面２と一定幅で離間した平行面Ｓ内で折り曲げられて繋がるとともに、平行面Ｓ内で延長部６によって形成された吊り下げ方向の揺動軸７と、該揺動軸７に垂設され、ネックレス類からの離脱を防止する係止部９が設けられた操作部８とを備える。【選択図】図１
0003166509.tif 000002
【実用新案登録請求の範囲】
【請求項１】
ネックレス類に着脱及び保持可能に吊着される吊着手段が裏面に設けられたことを特徴とするペンダントトップ。
【請求項２】
前記吊着手段は、
線材が折り曲げられて形成され、ネックレス類に掛かって吊り下がる一対の湾曲部と、
前記線材から形成され、前記湾曲部を介して吊り下げ方向に二股状に形成された一対の脚部と、
前記一対の脚部の夫々において、一方が、ペンダントトップの裏面に固設されており、他方が、延長されて延長部が形成されており、前記延長部の夫々が、ペンダントトップの裏面と一定幅で離間した平行面内で折り曲げられて繋がるとともに、前記平行面内で前記延長部によって形成された吊り下げ方向の揺動軸と、
前記揺動軸に垂設され、ネックレス類からの離脱を防止する線材からなる係止部が設けられており、吊り下がった状態からペンダントトップとぶつかる状態まで揺動可能な操作部とを備え、
前記係止部は、前記操作部に伴って揺動し、前記操作部が上げられると、前記裏面と前記平行面との離間部を解放して、前記操作部が下げられると、前記離間部を閉鎖するように構成されたことを特徴とする請求項１に記載のペンダントトップ。
【請求項３】
前記操作部の先端にバチ環が設けられており、
前記バチ環を介して第１の装飾品が吊着されることを特徴とする請求項２に記載のペンダントトップ。
【請求項４】
ペンダントトップに挿通孔が設けられており、
前記操作部が下げられると、前記係止部の先端に設けられた第２の装飾品が、前記挿通孔を介して、ペンダントトップの表面から突出するように構成されたことを特徴とする請求項２又は請求項３に記載のペンダントトップ。
【請求項５】
前記吊着手段は、
線材が折り曲げられて形成され、ネックレス類に掛かって吊り下がる一対の湾曲部と、
前記線材から形成され、前記湾曲部を介して吊り下げ方向に二股状に形成された一対の脚部と、
前記一対の脚部の夫々において、一方が、ペンダントトップの裏面に固設されており、他方が、ペンダントトップの裏面と一定幅で離間した平行面内でペンダントトップの形状に沿って曲げられるとともに、前記平行面内で前記湾曲部を連架して設けられた吊り下げ方向の揺動軸と、
前記揺動軸に垂設され、ネックレス類からの離脱を防止する線材からなる係止部が設けられており、吊り下がった状態からペンダントトップとぶつかる状態まで揺動可能な操作部とを備え、
前記係止部は、前記操作部に伴って揺動し、前記操作部が上げられると、前記裏面と前記平行面との離間部を解放して、前記操作部が下げられると、前記離間部を閉鎖するように構成されたことを特徴とする請求項１に記載のペンダントトップ。
【請求項６】
前記操作部の先端にバチ環が設けられており、
前記バチ環を介して第３の装飾品が吊着されたことを特徴とする請求項５に記載のペンダントトップ。
【請求項７】
ペンダントトップに挿通孔が設けられており、
前記操作部が下げられると、前記係止部の先端に設けられた第４の装飾品が、前記挿通孔を介して、ペンダントトップの表面から突出するように構成されたことを特徴とする請求項５又は請求項６に記載のペンダントトップ。
【考案の詳細な説明】
【技術分野】
【０００１】
本考案は、ネックレス類を首に掛けた状態のままで、美感を損なうことなく簡単に着脱できるようにしたペンダントトップに関する。
【背景技術】
【０００２】
一般に、先端にペンダントトップと呼ばれる装飾品がつくものをペンダント、首に巻く部分そのものが装飾になるものをネックレス、紐状で留め金がないものをラリエットと呼んでいる（以下、チェーンや紐類からなる首に巻く部分をネックレス類という。）。
【０００３】
従来のペンダントとしては、ペンダントトップの上端にバチ環を取り付けたものが主流で、このバチ環にネックレス類を通してペンダントとして使用していた。勿論、前記のペンダントトップは、ネックレス類を開放してバチ環から抜き取ることにより、取り付け取り外すことができるものである。
【０００４】
また、前記バチ環に代えて開閉自在の止め金具を使用することにより、ネックレス類にペンダントトップを着脱可能にしたものも知られている。
【先行技術文献】
【特許文献】
【０００５】
【特許文献１】特開平８−１０７８０４号公報
【考案の概要】
【考案が解決しようとする課題】
【０００６】
しかしながら、前者のペンダントは、ペンダントトップを着脱する際には、ネックレス類を開放する必要があり、ネックレス類を首に掛けた状態のままで、ペンダントトップを着脱することはできなかった。
【０００７】
また、後者のペンダントは、開閉自在の止め金具がペンダントトップの上端に露出した状態で設けられているため、美感上、前記止め金具自体を小さくせざるを得ず、開閉するのが困難であるこことから、ネックレス類を首に掛けた状態のままで、ペンダントトップを簡単に着脱することができるとは言い難かった。
【０００８】
そこで、本考案が解決しようとする課題は、ネックレス類を首に掛けた状態のままで、美感を損なうことなく簡単に着脱することができるペンダントトップを提供することである。
【課題を解決するための手段】
【０００９】
この考案は、前記課題を解決するためになされたもので、請求項１の考案に係るペンダントトップは、ネックレス類に着脱及び保持可能に吊着される吊着手段が裏面に設けられたことを特徴としている。
【００１０】
請求項１に記載のペンダントトップによれば、ネックレス類に着脱及び保持可能に吊着される吊着手段が裏面に設けられているので、首からネックレス類を取り外さずとも、ペンダントトップの着脱が可能となり、しかもネックレス類に簡単に着脱可能にする上で大きな止め金具が表出してしまうという美感の問題が解消する。
【００１１】
請求項２の考案に係る装飾体は、請求項１に記載の考案において、前記吊着手段は、線材が折り曲げられて形成され、ネックレス類に掛かって吊り下がる一対の湾曲部と、前記線材から形成され、前記湾曲部を介して吊り下げ方向に二股状に形成された一対の脚部と、前記一対の脚部の夫々において、一方が、ペンダントトップの裏面に固設されており、他方が、延長されて延長部が形成されており、前記延長部の夫々が、ペンダントトップの裏面と一定幅で離間した平行面内で折り曲げられて繋がるとともに、前記平行面内で前記延長部によって形成された吊り下げ方向の揺動軸と、前記揺動軸に垂設され、ネックレス類からの離脱を防止する線材からなる係止部が設けられており、吊り下がった状態からペンダントトップとぶつかる状態まで揺動可能な操作部とを備え、前記係止部は、前記操作部に伴って揺動し、前記操作部が上げられると、前記裏面と前記平行面との離間部を解放して、前記操作部が下げられると、前記離間部を閉鎖するように構成されたことを特徴としている。
【００１２】
請求項２に記載のペンダントトップによれば、請求項１の効果に加えて、操作部を上げることにより、裏面と平行面との離間部が解放されるので、離間部を介してネックレス類を挿通させることができる。そして、ペンダントトップが湾曲部を介してネックレス類によって支持されたことを確認した後、操作部を下げることにより、裏面と平行面との離間部が閉鎖され、重力により操作部が下がった状態が維持されるので、操作部に負荷を掛けない限りペンダントトップがネックレス類に保持される。すなわち、操作部を上げた状態で、ネックレス類にペンダントトップを掛ける、或いは、ネックレス類からペンダントトップを外すという簡単な作業で着脱が可能であるため、ネックレス類を首に掛けた状態のままで、ペンダントトップを簡単に着脱することができる。
【００１３】
請求項３の考案に係る装飾体は、請求項２に記載の考案において、前記操作部の先端にバチ環が設けられており、前記バチ環を介して第１の装飾品が吊着されることを特徴としている。
【００１４】
請求項３の考案に係る装飾体によれば、請求項２の効果に加えて、ペンダントトップをより美しく飾ることができる。
【００１５】
請求項４の考案に係る装飾体は、請求項２又は請求項３に記載の考案において、ペンダントトップに挿通孔が設けられており、前記操作部が下げられると、前記係止部の先端に設けられた第２の装飾品が、前記挿通孔を介して、ペンダントトップの表面から突出するように構成されたことを特徴としている。
【００１６】
請求項４の考案に係る装飾体によれば、請求項２又は請求項３の効果に加えて、ペンダントトップのデザインに新たな要素を加えることができる。
【００１７】
請求項５の考案に係る装飾体は、請求項１に記載の考案において、前記吊着手段は、線材が折り曲げられて形成され、ネックレス類に掛かって吊り下がる一対の湾曲部と、前記線材から形成され、前記湾曲部を介して吊り下げ方向に二股状に形成された一対の脚部と、前記一対の脚部の夫々において、一方が、ペンダントトップの裏面に固設されており、他方が、ペンダントトップの裏面と一定幅で離間した平行面内でペンダントトップの形状に沿って曲げられるとともに、前記平行面内で前記湾曲部を連架して設けられた吊り下げ方向の揺動軸と、前記揺動軸に垂設され、ネックレス類からの離脱を防止する線材からなる係止部が設けられており、吊り下がった状態からペンダントトップとぶつかる状態まで揺動可能な操作部とを備え、前記係止部は、前記操作部に伴って揺動し、前記操作部が上げられると、前記裏面と前記平行面との離間部を解放して、前記操作部が下げられると、前記離間部を閉鎖するように構成されたことを特徴としている。
【００１８】
請求項５に記載のペンダントトップによれば、請求項２の構成よりもシンプルな構成で、請求項２と同様の作用効果を得ることができる。
【００１９】
請求項６の考案に係る装飾体は、請求項５に記載の考案において、前記操作部の先端にバチ環が設けられており、前記バチ環を介して第３の装飾品が吊着されたことを特徴としている。
【００２０】
請求項６の考案に係る装飾体によれば、請求項５の効果に加えて、ペンダントトップをより美しく飾ることができる。
【００２１】
請求項７の考案に係る装飾体は、請求項５又は請求項６に記載の考案において、ペンダントトップに挿通孔が設けられており、前記操作部が下げられると、前記係止部の先端に設けられた第４の装飾品が、前記挿通孔を介して、ペンダントトップの表面から突出するように構成されたことを特徴としている。
【００２２】
請求項７の考案に係る装飾体によれば、請求項５又は請求項６の効果に加えて、ペンダントトップのデザインに新たな要素を加えることができる。
【考案の効果】
【００２３】
本考案によれば、ネックレス類を首に掛けた状態のままで、美感を損なうことなく簡単に着脱可能なペンダントトップを提供することができる。
【図面の簡単な説明】
【００２４】
【図１】本考案に係るペンダントトップの一実施形態の模式図であって、（Ａ）背面図（ペンダントトップの裏面に相当。以下省略。）、（Ｂ）左側面図、（Ｃ）正面図（ペンダントトップの表面に相当。以下省略。）である。
【図２】本考案に係るペンダントトップのネックレス類への取り付け方の説明に供する図であって、取付初期段階の状態を示す（Ａ）背面図、（Ｂ）左側面図である。
【図３】本考案に係るペンダントトップのネックレス類への取り付け方の説明に供する図であって、取付中期段階の状態を示す（Ａ）背面図、（Ｂ）左側面図である。
【図４】本考案に係るペンダントトップのネックレス類への取り付け方の説明に供する図であって、取付後期段階の状態を示す（Ａ）背面図、（Ｂ）左側面図である。
【図５】本考案に係るペンダントトップの他の実施形態の模式図であって、（Ａ）背面図、（Ｂ）左側面図、（Ｃ）正面図である。
【図６】本考案に係るペンダントトップの他の実施形態に係る吊着手段の説明に供する図である。
【考案を実施するための形態】
【００２５】
以下、本考案を適用した具体的な実施の形態について、図面を参照しながら詳細に説明する。
【実施例１】
【００２６】
１．ペンダントトップ１の構成
本考案は、例えば図１に示すような構成のペンダントトップ１に適用される。このペンダントトップ１は、ネックレス類１２に着脱及び保持可能に吊着される吊着手段１３が裏面２に設けられている。
【００２７】
ペンダントトップ１の表面３は、通常のペンダントトップと特に変わらないが、正面から見たときに裏面の吊着手段１３が見えないようにしたい場合には、例えば間隙が多いデザインを避ける等、デザインに多少の制約を設ける必要がある。また、従来のペンダントトップの上端にはバチ環が設けられているが、本考案に係るペンダントトップ１においては設けなくてもよい。
【００２８】
吊着手段１３は、図１に示すように、貴金属及びその他の金属又はその他適宜の線材が折り曲げられて形成されている。そして、吊着手段１３は、一対の湾曲部４と、一対の脚部５ａ，ｂと、延長部６と、揺動軸７と、係止部９と、操作部８とを主要部として備えている。
【００２９】
湾曲部４は、図１（Ａ）に示すように、左右一対となっており、図１（Ｂ）に示すように、側面方向から見ると、略逆Ｕ字の形状をしている。ペンダントトップ１は、湾曲部４でネックレス類１２に掛かって吊り下がる構造になっており、左右一対あることで、ペンダントトップ１が傾くことなく安定化する。
【００３０】
脚部５ａ，ｂは、図１（Ｂ）に示すように、湾曲部４を介して吊り下げ方向に二股状に形成されている。脚部５ａ，ｂも、図１（Ａ）に示すように、湾曲部４に対応して一対ある。そして、一対の脚部５ａ，ｂの夫々において、脚部５ａが、ペンダントトップ１の裏面２に固設されており、脚部５ｂが、延長されて延長部６に繋がっている。
【００３１】
延長部６は、脚部５ｂが延長されたものであり、脚部５ｂに対応して一対形成されている。延長部６の夫々は、ペンダントトップ１の裏面２と一定幅で離間した平行面Ｓ内の下部において折り曲げられて湾曲部１５を形成し、平行面Ｓ内の上部において繋がり、吊り下げ方向の揺動軸７を形成している。
【００３２】
操作部８は、揺動軸７を包み込む筒状部１０と一体になっており、筒状部１０を介して、揺動軸７に垂設されている。したがって、操作部８は、揺動軸７を中心軸として、吊り下がった下限からペンダントトップ１とぶつかる上限まで揺動自在となっている。
【００３３】
係止部９は、揺動軸７と一体になっており、貴金属及びその他の金属又はその他適宜の線材で形成されている。係止部９は、図１（Ｂ）に示すように、操作部８を真上に上げた状態で側面から見ると、略逆Ｕ字に折り曲げられた形状をしている。
【００３４】
また、係止部９は、操作部８に伴って揺動し、操作部８が上げられると、裏面２と平行面Ｓとの離間部１１を解放して、操作部８が下げられると、離間部１１を閉鎖するように構成されている。
【００３５】
加えて、図５（Ａ）に示すように、操作部８の先端にバチ環３６を設け、バチ環３６を介して装飾品３７を吊着してもよい。また、ペンダントトップに挿通孔３８を設け、操作部８が下げられると、係止部９の先端に設けられた装飾品３９が、挿通孔３８を介して、ペンダントトップ１の表面３から突出するように構成してもよい。さらに、操作部８を固定する止め具４０をペンダントトップ１の裏面２に設けてもよい。
【００３６】
２．ペンダントトップ１の使用方法
ここでは、図２乃至図４を参照してペンダントトップ１の使用方法を説明する。先ず、図２に示すように、操作部８を上限まで上げることにより、裏面２と平行面Ｓとの離間部１１を解放し、離間部１１を介してネックレス類１２を挿通させる。図２の矢印は、離間部１１を介してネックレス類１２を挿通させる際のネックレス類１２の相対的な移動方向を示すものであり、実際には、ネックレス類１２を首に巻いたままペンダントトップ１を取り付けるので、静止したネックレス類１２に対して、ペンダントトップ１を動かすことになる。
【００３７】
次に、ペンダントトップ１が湾曲部４を介してネックレス類１２によって支持されたことを確認した後、図３の矢印方向に、図４に示すように、操作部８を重力で吊り下がる状態まで下げていく。係止部９は、操作部８に追動して、揺動軸７を中心軸として、裏面２と平行面Ｓとの離間部１１を閉鎖するように円弧移動をする。
【００３８】
最後に、重力により操作部８が下がった状態が維持されるので、操作部８に余計な負荷がかからないようにする。このとき、止め具４０によって、操作部８をペンダントトップ１の裏面２に固定してもよい。
【００３９】
前記は、ネックレス類１２を首に巻いたままペンダントトップ１を取り付ける方法であるが、ネックレス類１２を首に巻いたままペンダントトップ１を取り外すには、前記の手順を逆に辿ることで可能となる。
【実施例２】
【００４０】
３．ペンダントトップ２１の構成
本考案は、例えば図５に示すような構成のペンダントトップ２１に適用される。このペンダントトップ２１は、ネックレス類１２に着脱及び保持可能に吊着される吊着手段３３が裏面２２に設けられている。
【００４１】
ペンダントトップ２１の表面２３は、通常のペンダントトップと特に変わらないが、正面から見たときに裏面の吊着手段３３が見えないようにしたい場合には、例えば間隙が多いデザインを避ける等、デザインに多少の制約を設ける必要がある。また、従来のペンダントトップの上端にはバチ環が設けられているが、本考案に係るペンダントトップ２１においては設けなくてもよい。
【００４２】
吊着手段３３は、図５に示すように、貴金属及びその他の金属又はその他適宜の線材が折り曲げられて形成されている。そして、吊着手段３３は、一対の湾曲部２４と、一対の脚部２５ａ，ｂと、揺動軸２７と、係止部２９と、操作部２８とを主要部として備えている。
【００４３】
湾曲部２４は、図５（Ａ）に示すように、左右一対となっており、図５（Ｂ）に示すように、側面方向から見ると、略逆Ｕ字の形状をしている。ペンダントトップ２１は、湾曲部２４でネックレス類３２に掛かって吊り下がる構造になっており、左右一対あることで、ペンダントトップ２１が傾くことなく安定化する。
【００４４】
脚部２５ａ，ｂは、図５（Ｂ）に示すように、湾曲部２４を介して吊り下げ方向に二股状に形成されている。脚部２５ａ，ｂも、図５（Ａ）に示すように、湾曲部２４に対応して一対ある。そして、一対の脚部２５ａ，ｂの夫々において、脚部２５ａが、ペンダントトップ２１の裏面２２に固設されている。
【００４５】
脚部２５ｂは、図６に示すように、ペンダントトップ２１の裏面２２と一定幅で離間した平行面Ｓ内でペンダントトップ２１の形状に沿って曲げられている。
【００４６】
揺動軸２７は、図６に示すように、平行面Ｓ内で湾曲部２４を連架する線材からなり、吊り下げ方向に操作部２８を揺動させるための軸として機能する。
【００４７】
操作部２８は、揺動軸２７を包み込む筒状部３０と一体になっており、筒状部３０を介して、揺動軸２７に垂設されている。したがって、操作部２８は、揺動軸２７を中心軸として、吊り下がった下限からペンダントトップ２１とぶつかる上限まで揺動自在となっている。
【００４８】
係止部２９は、揺動軸２７と一体になっており、貴金属及びその他の金属又はその他適宜の線材で形成されている。係止部２９は、操作部２８に伴って揺動し、操作部２８が上げられると、裏面２２と平行面Ｓとの離間部３１を解放して、操作部２８が下げられると、離間部３１を閉鎖するように構成されている。
【００４９】
加えて、図５（Ａ）に示すように、操作部２８の先端にバチ環３６を設け、バチ環３６を介して装飾品３７を吊着してもよい。また、ペンダントトップに挿通孔３８を設け、操作部２８が下げられると、係止部２９の先端に設けられた装飾品３９が、挿通孔３８を介して、ペンダントトップ２１の表面２３から突出するように構成してもよい。さらに、操作部２８を固定する止め具４０をペンダントトップ２１の裏面２２に設けてもよい。
【００５０】
４．ペンダントトップ２１の使用方法
ペンダントトップ２１の使用方法については、「２．ペンダントトップ１の使用方法」と同様であるため、ここでは説明を省略する。
【００５１】
なお、本考案は前述した実施の形態のみに限定されるものではなく、本考案の要旨を逸脱しない範囲において種々の変更が可能であることは勿論である。
【符号の説明】
【００５２】
１，２１      ペンダントトップ
２，２２      裏面
３，２３      表面
４，２４      湾曲部
５，２５      脚部
５ａ，２５ａ  脚部
５ｂ，２５ｂ  脚部
６            延長部
７，２７      揺動軸
８，２８      操作部
９，２９      係止部
１０，３０    筒状部
１１，３１    離間部
１２，３２    ネックレス類
１３，３３    吊着手段
１５          湾曲部
３６          バチ環
３７          装飾品
３８          挿通孔
３９          装飾品
４０          止め具
Ｓ            平行面
【図１】
0003166509.tif 000003
【図２】
0003166509.tif 000004
【図３】
0003166509.tif 000005
【図４】
0003166509.tif 000006
【図５】
0003166509.tif 000007
【図６】
0003166509.tif 000008